(57)【要約】    【課題】      制御信号の認識精度を向上することにより、誤認識に伴うデータの誤送出を防止することができ、無駄な処理を低減することができる通信システムおよび通信装置を提供すること。    【解決手段】  制御信号の送信側となる通信装置２００においては、制御信号としての許否情報が生成され、ＡＩＣＨおよびこのＡＩＣＨ以外の２つの異なる通信路Ｃ１およびＣ２を利用して許否情報を送出する。制御信号の受信側となる通信装置１００においては、通信路Ｃ１、Ｃ２のそれぞれを通して送達される各々の制御信号の正誤（許否情報の許否）の判定結果に基づいて送信データの送信制御を行う。従って、制御信号の正誤の判定に対する信頼性を向上することができ、誤った制御信号に起因する受信側の無駄な処理を低減することができる。  【選択図】      図１
2006054551.tif 000002
【特許請求の範囲】
【請求項１】
制御信号を生成する信号生成手段と、
前記制御信号を第１の制御信号として第１の通信路に送出するとともに、前記制御信号を第２の制御信号として前記第１の通信路と異なる第２の通信路に送出する送出手段と、を有する第１の通信装置と、
前記第１の通信路を通して送達される第１の制御信号の正誤、前記第２の通信路を通して送達される第２の制御信号の正誤のそれぞれを判定する判定手段と、
前記第１の制御信号の正誤並びに前記第２の制御信号の正誤の判定結果に基づき、前記第１の通信装置へのデータ送出又は非送出の制御を行う制御手段と、を有する第２の通信装置と、
を具備することを特徴とする通信システム。
【請求項２】
前記第１の通信装置は、前記第１の制御信号のデータフォーマットに対して前記第２の制御信号を異なるデータフォーマットに変換する変換手段をさらに具備し、
前記送出手段は、前記第１の通信路に前記第１の制御信号を送出するとともに、前記第２の通信路に前記第１の制御信号とは異なるデータフォーマットの前記第２の制御信号を送出することを特徴とする請求項１記載の通信システム。
【請求項３】
前記第１の通信路又は前記第２の通信路に、第３の通信装置を介在させることを特徴とする請求項１又は請求項２に記載の通信システム。
【請求項４】
前記第３の通信装置は、前記第１の制御信号又は前記第２の制御信号を復元し、復元された前記第１の制御信号又は前記第２の制御信号を転送する信号復元手段をさらに備えたことを特徴とする請求項３記載の通信システム。
【請求項５】
前記制御手段は、前記判定手段において、前記第１の制御信号が正と判定され、前記第２の制御信号が正と判定されると、この判定結果に基づきデータ送出を行い、前記判定手段において、前記第１の制御信号が誤と判定され、前記第２の制御信号が誤と判定されると、この判定結果に基づきデータ非送出を行うことを特徴とする請求項１から請求項４のいずれかに記載の通信システム。
【請求項６】
前記制御手段は、前記判定手段において、前記第１の制御信号が正と判定され、この判定結果に基づきデータ送出を行った場合、前記第２の制御信号が誤と判定されると、この判定結果に基づきデータ送出を停止し、又前記判定手段において、前記第１の制御信号が誤と判定されると、この判定結果に基づき、前記第２の制御信号が正と判定されてもデータ非送出を行うことを特徴とする請求項１から請求項５のいずれかに記載の通信システム。
【請求項７】
リンク確立要求に応じリンク確立の許否情報を生成する信号生成手段と、
前記許否情報を第１の許否情報として第１の通信路に送出するとともに、前記許否情報を第２の許否情報として第２の通信路に送出する送出手段と、を有する第１の通信装置と、
前記第１の通信路を通して送達される第１の許否情報の許否、前記第２の通信路を通して送達される第２の許否情報の許否のそれぞれを判定する判定手段と、
前記第１の許否情報の許否並びに前記第２の許否情報の許否の判定結果に基づき、前記第１の通信装置へのデータ送出又は非送出の制御を行う制御手段と、を有し、リンク確立要求を行う第２の通信装置と、
を具備することを特徴とする通信システム。
【請求項８】
前記第１の通信装置は、前記１の許否情報のデータフォーマットに対して第２の許否情報を異なるデータフォーマットに変換する変換手段をさらに具備し、
前記送出手段は、前記第１の通信路に前記第１の許否情報を送出するとともに、前記第２の通信路に前記第１の許否情報とは異なるデータフォーマットの前記第２の許否情報を送出することを特徴とする請求項７記載の通信システム。
【請求項９】
前記第１の通信路又は前記第２の通信路に、第３の通信装置を介在させることを特徴とする請求項７又は請求項８に記載の通信システム。
【請求項１０】
前記第３の通信装置は、前記第１の許否情報又は前記第２の許否情報を復元し、復元された前記第１の許否情報又は前記第２の許否情報を転送する信号復元手段をさらに備えたことを特徴とする請求項９記載の通信システム。
【請求項１１】
前記制御手段は、前記判定手段において、前記第１の許否情報が許と判定され、前記第２の許否情報が許と判定されると、この判定結果に基づきデータ送出を行い、前記判定手段において、前記第１の許否情報が否と判定され、前記第２の許否情報が否と判定されると、この判定結果に基づきデータ非送出を行うことを特徴とする請求項７から請求項１０のいずれかに記載の通信システム。
【請求項１２】
前記制御手段は、前記判定手段において、前記第１の許否情報が許と判定され、この判定結果に基づきデータ送出を行った場合、前記第２の許否情報が否と判定されると、この判定結果に基づきデータ送出を停止し、又前記判定手段において、前記第１の許否情報が否と判定されると、この判定結果に基づき、前記第２の許否情報が許と判定されてもデータ非送出を行うことを特徴とする請求項７から請求項１０のいずれかに記載の通信システム。
【請求項１３】
リンク確立要求に応じリンク確立の許否情報を生成する信号生成手段と、
前記許否情報を第１の許否情報として第１の通信路に送出するとともに、前記許否情報を第２の許否情報として第２の通信路に送出する送出手段と、
を具備することを特徴とする通信装置。
【請求項１４】
前記１の許否情報のデータフォーマットに対して第２の許否情報を異なるデータフォーマットに変換する変換手段をさらに具備し、
前記送出手段は、前記第１の通信路に前記第１の許否情報を送出するとともに、前記第２の通信路に前記第１の許否情報とは異なるデータフォーマットの前記第２の許否情報を送出することを特徴とする請求項１３記載の通信装置。
【請求項１５】
第１の通信路を通して送達されるリンク確立の第１の許否情報の許否、前記第２の通信路を通して送達される第２の許否情報の許否のそれぞれを判定する判定手段と、
前記第１の許否情報の許否並びに前記第２の許否情報の許否の判定結果に基づき、データ送出又は非送出の制御を行う制御手段と、
を具備することを特徴とする通信装置。
【発明の詳細な説明】
【技術分野】
【０００１】
本発明は、通信システムおよび通信装置に関し、特にランダムアクセス方式を採用する通信システムおよびそれを構築する通信装置に関する。
【背景技術】
【０００２】
ある通信装置と通信を行う複数の通信装置が通信路を共有する必要がある場合には、アクセスプロトコルを設けて、複数の通信装置間に生じる通信路の競合による不都合を取り除く必要がある。特に、アクセス方式の１つであるランダムアクセス方式を使用し不特定多数の通信装置において通信を行う場合に、この不特定多数の通信装置が同時に同一の通信路にアクセスする可能性がある。このような場合には、複数の通信装置から送信されたデータが衝突してデータが失われ、通信の安全を確保することができない不都合がある。
【０００３】
この不都合を取り除くための方策として、データの衝突が生じた場合にデータの再送を行って通信を補償する方法（例えば、ＡＬＯＨＡ方式、スロットＡＬＯＨＡ方式など）や、前処理によって衝突が起こらないことを確認した上で通信を行う方法（例えば、予約ＡＬＯＨＡ方式、ＴＣＰ／ＩＰなど）などがある。
【０００４】
ところで、第３世代の移動体通信システムでは、高速な通信路確保処理を付加したスロットＡＬＯＨＡ方式を基にするランダムアクセス方式が採用されている（非特許文献１参照）。このランダムアクセス方式では、まずデータを送信しようとする送信側の通信装置は、受信側の通信装置との間に送信データを送信するためのリンクを確立するために、受信側の通信装置に対してスロットＡＬＯＨＡ方式によりリンク確立要求情報（例えば、プリアンブル信号）を送信する。
【０００５】
そして、受信側の通信装置は、このリンク確立要求信号を受け取ると、リンクを確立するか否かを判断して判断結果に応じた応答信号（例えば、ＡＩＣＨ信号）を送信側の通信装置に対して送信する。送信側の通信装置がリンク確立の許可を示す応答信号を受け取ると、両通信装置間に通信路が予約された、すなわちリンクが確立されたこととなり、送信側の通信装置は、送信データを受信側の通信装置に送信する。なお、リンク確立要求情報を送信してから一定時間内に応答信号を受け取らないときには、送信側の通信装置は、受信側の通信装置に対してリンク確立要求情報を再度送信する。この送信側の通信装置の動作は、受信側の通信装置からの応答信号を受け取るまで又は所定回数繰り返される。
【０００６】
ここで、送信側の通信装置において制御信号である上記応答信号は、リンク確立後に送信される上記送信データに比べて情報量を小さくすることができる。そして、上記応答信号の情報量を小さくすることにより、リンク確立処理を高速に行うことができる。
【非特許文献１】3GPP TS25.211 v3.12.0 3rdGenerationPartnership Project ;Technical Specification Group Radio Access Network ;Physical channels and mapping of transport channels onto physical channels(FDD)
【発明の開示】
【発明が解決しようとする課題】
【０００７】
しかしながら、従来の通信システムにおいては、ＡＩＣＨ信号が通常プリアンブル信号と同様に情報量の小さく短い信号であるため、情報量が多く長い信号に比べてＡＩＣＨ信号を受信する通信装置においてＡＩＣＨ信号の内容が誤って認識される可能性が高くなる。この誤認識が生じると、誤った認識に基づいて処理が行われることになる。例えば、上記受信側の通信装置がリンク確立の不許可を示すＡＩＣＨ信号を送信したにも拘わらず、上記送信側の通信装置がリンク確立の許可を示すＡＩＣＨ信号を受信したと誤認識する場合には、送信側から受信側へ送信データが誤送信され、送信側の通信装置において無駄な処理が行われることになる。これは、ＡＩＣＨ信号に限らず、他の制御信号についても同様に当てはまる。
【０００８】
本発明は、かかる点に鑑みてなされたものであり、制御信号の認識精度を向上することにより、誤認識に伴うデータの誤送出を低減することができ、無駄な処理を低減することができる通信システムおよび通信装置を提供することを目的とする。
【課題を解決するための手段】
【０００９】
本発明の実施の形態に係る第１の特徴は、通信システムにおいて、制御信号を生成する信号生成手段と、前記制御信号を第１の制御信号として第１の通信路に送出するとともに、前記制御信号を第２の制御信号として前記第１の通信路と異なる第２の通信路に送出する送出手段と、を有する第１の通信装置と、前記第１の通信路を通して送達される第１の制御信号の正誤、前記第２の通信路を通して送達される第２の制御信号の正誤のそれぞれを判定する判定手段と、前記第１の制御信号の正誤並びに前記第２の制御信号の正誤の判定結果に基づき、前記第１の通信装置へのデータ送出又は非送出の制御を行う制御手段と、を有する第２の通信装置と、を具備したことである。
【００１０】
本発明の実施の形態に係る第２の特徴は、通信システムにおいて、リンク確立要求に応じリンク確立の許否情報を生成する信号生成手段と、前記許否情報を第１の許否情報として第１の通信路に送出するとともに、前記許否情報を第２の許否情報として第２の通信路に送出する送出手段と、を有する第１の通信装置と、前記第１の通信路を通して送達される第１の許否情報の許否、前記第２の通信路を通して送達される第２の許否情報の許否のそれぞれを判定する判定手段と、前記第１の許否情報の許否並びに前記第２の許否情報の許否の判定結果に基づき、前記第１の通信装置へのデータ送出又は非送出の制御を行う制御手段と、を有し、リンク確立要求を行う第２の通信装置と、を具備したことである。
【００１１】
本発明の実施の形態に係る第３の特徴は、通信装置において、リンク確立要求に応じリンク確立の許否情報を生成する信号生成手段と、前記許否情報を第１の許否情報として第１の通信路に送出するとともに、前記許否情報を第２の許否情報として第２の通信路に送出する送出手段と、を具備したことである。
【００１２】
本発明の実施の形態に係る第４の特徴は、通信装置において、第１の通信路を通して送達されるリンク確立の第１の許否情報の許否、前記第２の通信路を通して送達される第２の許否情報の許否のそれぞれを判定する判定手段と、前記第１の許否情報の許否並びに前記第２の許否情報の許否の判定結果に基づき、データ送出又は非送出の制御を行う制御手段と、を具備したことである。
【発明の効果】
【００１３】
本発明によれば、制御信号の認識精度を向上することにより、誤認識に伴うデータの誤送出を低減することができ、無駄な処理を低減することができる通信システムおよび通信装置を提供することができる。
【発明を実施するための最良の形態】
【００１４】
本発明の骨子は、送信側から制御信号を複数の通信路を通して受信側に送信し、受信側においてそれぞれの通信路を通した制御信号の正誤（許否情報の許否）を判定し、この判定結果に基づき受信側の処理を制御することにより、受信側における無駄な処理を低減するようにしたことである。
【００１５】
ここで示す複数の通信路とは、空間、時間、帯域、媒体の何れか又は複数が異なる状況で通信に用いられる伝搬路を言う。
【００１６】
以下、本発明の実施の形態について図面を参照して詳細に説明する。なお、実施の形態において、同一の構成要素には同一の符号を付し、その説明は重複するので省略する。
【００１７】
本発明の実施の形態では、制御信号の認識誤りによる不必要なデータ送信処理発生時の復帰が比較的困難である、第３世代移動体通信システムで用いられるランダムアクセス方式を例として挙げる。
【００１８】
（実施の形態１）
図１に示すように、本発明の実施の形態１に係る通信システム１０は、送出される制御信号に基づいた処理を行う通信装置１００と、この通信装置１００に対して制御信号を送出する通信装置２００とを備える。ここで、通信装置１００は例えば通信端末装置であり、通信装置２００は例えば基地局装置である。
【００１９】
この通信装置１００は、まず通信装置２００との間での通信を開始するに当たり、この通信に利用する新たなリンクを開設するためにランダムアクセス方式によりプリアンブル信号を通信装置２００に対して送信する。
【００２０】
通信装置２００はプリアンブル信号を受け取ると、リンク確立の許否、すなわちリンクを確立して通信を行うことの許否を判定する。そして、通信装置２００は、この許否情報をＡＩＣＨ（Acquisition Indicator Channel）およびこのＡＩＣＨ以外の互いに異なる少なくとも２つの通信路Ｃ１およびＣ２を使って通信装置１００に送出する。なお、この許否情報は、通信装置１００の処理を制御する制御信号である。
【００２１】
通信装置１００は、通信路Ｃ１を通して受け取る許否情報の許否（制御信号の正誤）および通信路Ｃ２を通して受け取る許否情報の許否（制御信号の正誤）を判定して、判定の結果が双方ともに「許可（正）」を示すときには、開設が許されたリンクを使って送信データを通信装置２００に対して送信する。
【００２２】
図２に示すように、通信装置１００は、プリアンブル送信制御部１０１と、送信部１０２と、受信部１０３と、２つの異なる通信路Ｃ１、Ｃ２のそれぞれにより送達される２つの許否情報の許否を各々判定する判定部１０４と、この許否情報の判定結果に基づき送信処理を制御するデータ送信制御部１０５と、送信データ生成部１０６とを備える。
【００２３】
この通信装置１００において、プリアンブル送信制御部１０１は、リンクを開設するためのプリアンブル信号を送信部１０２に送出する。送信部１０２は、プリアンブル信号送信制御部１０１から受け取るプリアンブル信号を通信装置２００へ送信する。
【００２４】
また、通信装置１００において、受信部１０３は、通信装置２００から送出された２つの異なる通信路Ｃ１、Ｃ２のそれぞれを通して送達される２つの許否情報を受信し、判定部１０４に送出する。
【００２５】
判定部１０４は、受信部１０３から送出された、通信路Ｃ１を通して受信された許否情報の許否、通信路Ｃ２を通して受信された許否情報の許否の各々を判定する。すなわち、許否情報にはリンク確立の「許可（許）」又は「不許可（否）」を示す情報が含まれており、判定部１０４は許否情報が「許可」であるか又は「不許可」であるかを判定する。具体的に、この判定部１０４において、一方の通信路Ｃ１を通して送達された許否信号が「許可」、他方の通信路Ｃ２を通して送達された許否信号が「許可」であると判定されると、判定部１０４はデータ送信制御部１０５に対して作動命令信号を送出する。また、判定部１０４において、一方の通信路Ｃ１を通して送達された許否信号が「不許可」、他方の通信路Ｃ２を通して送達された許否信号が「不許可」であると判定されると、判定部１０４はデータ送信制御部１０５に対して作動停止命令信号を送出する。
【００２６】
そして、判定部１０４は、原則的に、一方の通信路Ｃ１、他方の通信路Ｃ２のいずれかを通して送達され、受信部１０３から最初に送出された許否情報の「許否」の判定結果に基づき、データ送信制御部１０５に対して作動命令信号又は作動停止命令信号を送出し、この作動命令信号又は作動停止命令信号に基づきデータ送信制御部１０５において処理が制御される。併せて、判定部１０４は受信部１０３から上記最初に送出された許否情報以降に送出された許否情報の「許否」の判定結果に基づき、データ送信制御部１０５に対して作動停止命令信号又は作動命令信号を送出し、この作動停止命令信号又は作動命令信号に基づきデータ送信制御部１０５において処理の制御が補足される。すなわち、判定部１０４において、受信部１０３から最初に送出された許否情報が「許可」と判定されると、この判定結果に基づき作動命令信号が送出され、この作動命令信号に基づきデータ送信制御部１０５において処理が制御され、引き続き、判定部１０４において、上記最初に送出された許否情報以降に送出された許否情報が「不許可」と判定されると、この判定結果に基づき作動停止命令信号が送出され、この作動停止命令信号に基づきデータ送信制御部１０５において処理を停止する制御が行われる。逆に、判定部１０４において、受信部１０３から最初に送出された許否情報が「不許可」と判定されると、この判定結果に基づき作動停止命令信号が送出され、この作動停止命令信号に基づきデータ送信制御部１０５において処理を停止する制御が行われ、引き続き、判定部１０４において、上記最初に送出された許否情報以降に送出された許否情報が「許可」と判定されると、この場合には判定結果に基づき作動命令信号が送出されるのではなく、作動停止命令信号が送出され、この作動停止命令信号に基づきデータ送信制御部１０５において処理を停止する制御が引き続き行われる。
【００２７】
データ送信制御部１０５は、判定部１０４から作動命令信号を受け取ると送信データ生成部１０６に対して送信データを生成する命令信号を送出する。データ送信制御部１０５は、データ送信処理を行っている間に作動命令信号を受け取った場合には、そのままそのデータ送信処理を継続する。一方、データ送信処理を行っている間に作動停止命令信号を受け取った場合には、データ送信制御部１０５はそのデータ送信処理を停止する。
【００２８】
図３に示すように、通信装置２００は、受信部２０１と、リンク確立判定部２０２と、通信装置１００の処理を制御する許否情報を生成する信号生成部２０３と、許否情報を２つの異なる通信路Ｃ１、Ｃ２に各々送出する送出部２０４と、通信装置１００からの送信データを処理するデータ処理部２０５とを備える。
【００２９】
この通信装置２００においては、受信部２０１は、通信装置１００からランダムアクセス方式により送信されたプリアンブル信号を受信し、リンク確立判定部２０２に送出する。
【００３０】
リンク確立判定部２０２は、受信部２０１からのプリアンブル信号を受け取ると、そのプリアンブル信号を送信した通信装置１００との間のリンク確立を「許可」するか「不許可」にするかを判定し、この判定結果に基づき判定結果信号を信号生成部２０３に送出する。
【００３１】
信号生成部２０３は、リンク確立判定部２０２からの判定結果信号を受け取り、この判定結果信号に応じた許否情報を生成する。具体的には、信号生成部２０３において、判定結果信号が「許可」を示す場合にはこの「許可」を示す許否情報が生成され、又判定結果信号が「不許可」を示す場合にはこの「不許可」を示す許否情報が生成される。そして、信号生成部２０３は、生成した許否情報を送出部２０４に対して送出する。
【００３２】
送出部２０４は、信号生成部２０３から受け取る許否情報を２つの異なる通信路Ｃ１、Ｃ２のそれぞれを通して送出する。具体的には、送出部２０４に通信路Ｃ１と通信路Ｃ２とを切り換える切り換え部２０６を備え、通信路Ｃ１に許否情報を送出し、そして切り換え部２０６により通信路Ｃ１から通信路Ｃ２に切り換え、この切り換えた通信路Ｃ２に許否情報を送出すればよい。
【００３３】
このように、実施の形態１に係る通信システムにおいて、制御信号の送信側となる通信装置２００においては、制御信号としての許否情報が生成され、ＡＩＣＨおよびこのＡＩＣＨ以外の２つの異なる通信路Ｃ１およびＣ２を利用して許否情報を送出することができる。制御信号の受信側となる通信装置１００においては、通信路Ｃ１、Ｃ２のそれぞれを通して送達される各々の制御信号の正誤（許否情報の許否）の判定結果に基づいて送信データの送信制御を行うことができる。
【００３４】
従って、単一の通信路にて単一の制御信号が送達される場合はもとより、単一の通信路にて２種類の制御信号が送達される場合に比べても、制御信号の正誤の判定に対する信頼性を向上することができ、誤った制御信号に起因する受信側の無駄な処理を低減することができる。なお、実施の形態１においては、２つの異なる通信路Ｃ１およびＣ２としてＡＩＣＨおよびこのＡＩＣＨ以外の通信路を使用した例を説明したが、本発明は、これに限定されるものではなく、伝送条件の異なる２つの通信路を使用すればよい。
【００３５】
また、受信側となる通信装置１００において、通信路Ｃ１、Ｃ２のいずれか一方を通して最初に送達された許否情報の許否の判定結果に基づき取り敢えず処理の制御を行い、通信路Ｃ１、Ｃ２のいずれか他方を通して上記最初に送出された許否情報以降に送達された許否情報の許否の判定結果に基づき処理の制御を補足することができる。
【００３６】
従って、別々の通信路Ｃ１、Ｃ２を通して送達される各々の許否情報の送達時間に差が生じた場合でも、取り敢えず最初に送達された許否情報の許否の判定結果に基づき処理の制御を進めることができるので、単一の通信路で単一の制御情報が送達される場合と比べて処理の制御の開始時間と同等の処理の制御の開始時間を得ることができるとともに、さらに取り敢えず進めていた処理の制御が許否情報の誤判定によるものである場合でも、別の通信路を通して上記最初に送出された許否情報以降に送達された許否情報の許否の判定結果に基づき補足することができ、誤判定に起因して進められていた処理の制御を停止し、無駄な処理を低減することができる。
【００３７】
また、このような無駄な処理を低減することができる結果、データの誤送信を減少することができ、無駄な送信データの発生（送信）に起因する通信システム１０におけるトラヒックの増加を防止することができるので、通信効率を向上することができる。
【００３８】
また、既存のＡＩＣＨにおいて利用する情報量の少ない許否情報をＡＩＣＨ信号として使用することにより、リンク確立の判断までに要する時間を短縮することができる。なお、ＡＩＣＨ信号に多くの情報量を持たせることにより、受信側となる通信装置１００において許否情報の許否の判定の誤り率を減少することができるが、情報量を多くすると逆に通信装置１００において許否情報の許否の判定処理に要する時間が長くなる。実施の形態１においては、前述のように情報量の少ない許否情報をＡＩＣＨ信号として使用することにより、リンク確立の判断までに要する時間を短縮しつつ、２つの異なる通信路Ｃ１、Ｃ２のそれぞれを通した各々の許否情報の許否の判定結果に基づき処理の制御を行っているので、受信側において判定の誤り率を向上することができる。
【００３９】
また、例えば、本発明の実施の形態において説明の前提としている第３世代移動体通信方式においては、受信側となる通信装置１００が送信側となる通信装置２００との間のリンクが確立されていることを確認するためには、上位層（ＲＬＣ層）へアクセスする必要があり、通信装置１００が許否情報の誤判定の上に誤送信を行っていることを確認するまでに時間が掛かる。実施の形態１においては、２つの異なる通信路Ｃ１、Ｃ２のそれぞれを通した各々の許否情報の許否の判定結果に基づき処理の制御を行っているので、上位層への確認を行わなくとも、受信側において判定の誤り率を向上することができる。その結果、データの誤送信を減少することができ、無駄な送信データの発生（送信）に起因する通信システム１０におけるトラヒックの増加を防止することができるので、通信効率を向上することができる。
【００４０】
（実施の形態２）
本発明の実施の形態２に係る通信装置２００は、図４に示すように、変換部２１０をさらに備える。この変換部２１０は、信号生成部２０３から直接送出部２０４に送出される許否情報のデータフォーマットに対して、信号生成部２０３から送出される許否情報を異なるデータフォーマット変換し、この変換された許否情報を送出部２０４に送出する。従って、送出部２０４においては、通信路Ｃ１、Ｃ２のいずれか一方に信号生成部２０３から直接送出される許否情報を送出し、いずれか他方に信号生成部２０３から変換部２１０を通してデータフォーマット変換された許否情報を送出することができる。
【００４１】
なお、実施の形態２においては、送出部２０４に入力される２つの許否情報のうちの一方を変換部２１０がデータフォーマット変換し、送出部２０４がデータフォーマットの異なる２つの許否情報を２つの異なる通信路Ｃ１、Ｃ２の各々に送出することにしたが、本発明は、これに限定されるものではなく、要は送出部２０４からデータフォーマットの異なる２つの許否情報が２つの異なる通信路Ｃ１、Ｃ２の各々に送出されればよい。
【００４２】
実施の形態２によれば、通信システム１０の、許否情報の送信側になる通信装置２００において、データフォーマットが互いに異なる許否情報のそれぞれを２つの異なる通信路Ｃ１、Ｃ２のそれぞれを通して送出することができ、許否情報の受信側となる通信装置１００（図２参照）において、通信路Ｃ１、Ｃ２およびデータフォーマットが異なる許否情報、すなわち伝送条件が異なる２つの許否情報を受信し、これらの許否情報の許否の判定結果に基づいて送信データの送信制御を行うことができる。
【００４３】
このような構成を備えることにより、通信装置１００において、通信路Ｃ１、Ｃ２が異なるのみならず、データフォーマットも異なる許否情報の許否の判定結果に基づきデータの送信処理を行うことができるので、許否情報の許否の判定結果に対する信頼性を向上することができ、無駄な処理をさらに低減することができる。
【００４４】
（実施の形態３）
本発明の実施の形態３は、前述の実施の形態１および実施の形態２に係る「２つの異なる通信路」の具体例を説明するものである。図５に示す実施の形態３に係る通信システム１０は、許否情報の送信側であり、空間的に距離のあるアンテナ２２０および２２１を有する通信装置２００と、許否情報の受信側である通信装置１００とを備える。この通信装置１００の構成は前述の実施の形態１に係る受信装置１００の構成と同様である。
【００４５】
通信システム１０における通信装置１００と通信装置２００との間の情報の遣り取りは基本的には実施の形態１に係る通信システム１０の通信装置１００と通信装置２００との間の情報の遣り取りと同様である。具体的には、通信装置１００は、まずリンクを開設するに当たり、通信路Ｃ３を利用することによりプリアンブル信号を通信装置２００に対して送信する。
【００４６】
通信装置２００はプリアンブル信号を受け取ると、リンク確立の許否、すなわちリンクを確立して通信を行うことの許否を判定する。そして、通信装置２００は、空間的に距離のあるアンテナ２２０から通信路Ｃ１を通して許否情報を送出し、アンテナ２２１から通信路Ｃ２を通して許否情報を送出する。
【００４７】
図６に示すように、通信装置２００の構成は、前述の図３に示す実施の形態１に係る通信装置２００の構成と基本的には同様であるが、アンテナ２２０および２２１をさらに備えている。すなわち、通信装置２００においては、送出部２０４の切り換え部２０６が信号生成部２０３から受け取る２つの許否情報の送出先をアンテナ２２０とアンテナ２２１との間において切り替えることにより、許否情報を２つの異なる通信路Ｃ１、Ｃ２に各々送出することができる。
【００４８】
なお、実施の形態３においては、１つの通信装置２００に備えられ空間的に離間した２つのアンテナ２２０および２２１を用い、空間的ダイバーシチにより２つの異なる通信路Ｃ１およびＣ２を生成したが、本発明は、これに限られるものではなく、例えば、２つの許否情報を送るときの送信周波数帯域を変えることによっても２つの異なる通信路を生成することができる。要は、伝送条件の異なる２つの通信路を用いればよい。
【００４９】
実施の形態３によれば、通信システム１０において、複数の異なる通信路Ｃ１、Ｃ２のそれぞれを通して送達される複数の許否情報の許否の判定結果に基づきデータの送信処理を行うことができるので、単一の通信路において単一の制御信号が送達される場合はもとより単一の通信路にて２つの制御信号が送達される場合に比べても、許否情報の許否の判定の信頼性を向上することができ、受信側である通信装置１００（図５参照）における無駄な処理を低減することができる。
【００５０】
（実施の形態４）
実施の形態４は、前述の実施の形態１乃至実施の形態３に係る「２つの異なる通信路」の少なくともいずれか一方に、別途、中継用の通信装置を介在させた例を説明するものである。
【００５１】
実施の形態４に係る通信システム１０は、図７に示すように、実施の形態１乃至実施の形態３に係る通信装置２００と同様の通信装置２００と、実施の形態１乃至実施の形態３に係る通信装置１００と同様の通信装置１００と、さらに中継用の通信装置である中継局３００とを備える。
【００５２】
通信装置２００は、通信装置１００から通信路Ｃ３を通してプリアンブル信号を受け取ると、リンク確立の許否を判定する。そして、通信装置２００は、通信路Ｃ１を通して許否情報を送出し、通信路Ｃ２を通して許否情報を送出する。ここで、通信路Ｃ２は、その中間に中継用の中継局３００が配設され、通信装置２００から中継局３００に至る通信路Ｃ２ａと、中継局３００から受信側である通信装置１００に至る通信路Ｃ２ｂとを備えて構築されている。
【００５３】
中継局３００は、送信側である通信装置２００から通信路Ｃ２ａを通して受け取る許否情報に復調、変調などの処理を施し、許否情報の復元を行い、情報としての精度を補償あるいは向上する。そして、この精度の補償あるいは向上された許否情報は、中継局３００から通信路Ｃ２ｂを通して通信装置１００に転送される。
【００５４】
実施の形態４に係る通信システム１０においては、送信側である通信装置２００から送出される２つの許否情報の一方が、通信路Ｃ１を通して受信側である通信装置１００に直接的に送出され、他方の許否情報が通信路Ｃ２（Ｃ２ａおよびＣ２ｂ）並びに中継局３００を通して間接的に受信側である通信装置１００に送出される。
【００５５】
なお、実施の形態４においては、通信装置２００から送出される許否情報の一方の通信路Ｃ２を、通信装置２００から中継局３００に至る通信路Ｃ２ａと、中継局３００から受信側である通信装置１００に至る通信路Ｃ２ｂとにより構築したが、本発明は、これに限定されるものではなく、例えば、通信路Ｃ１、Ｃ２の少なくとも一方を、送信側の通信装置２００からその上位層に位置する上位通信装置に至る通信路と、この通信装置から受信側の通信装置１００に至る通信路とにより構築してもよい。また、通信装置１００、通信装置２００および中継局３００のそれぞれの間を結ぶ通信路Ｃ１、Ｃ２、Ｃ３のそれぞれには、有線か無線かであることを問わず通信媒質の異なる通信路を利用することができる。要は、伝送条件の異なる複数の通信路を用いればよい。
【００５６】
実施の形態４によれば、通信システム１０において、複数の異なる通信路Ｃ１、Ｃ２のそれぞれを通して送達される各々の許否情報の許否の判定結果に基づきデータの送信処理を行うことができるので、単一の通信経路にて単一の制御信号が送達される場合はもとより単一の通信経路にて２つの制御信号が送達される場合に比べても、許否情報の許否の判定結果に対する信頼性を向上することができ、受信側である通信装置１００における無駄な処理を低減することができる。
【００５７】
また、２つの異なる通信路Ｃ１、Ｃ２の少なくとも一方の通信路Ｃ２に中継用の中継局３００を介在させたことにより、この中継局３００において許否情報の復元処理を行いこの処理した許否情報を受信側の通信装置１００に転送することができるので、許否情報の信頼性（誤り率）を向上することができる。そして、受信側である通信装置１００においては、この信頼性の高い許否情報の許否の判定結果に基づきデータの送信処理を行うことができるので、許否情報の許否の判定結果に対する信頼性がより一層向上することができ、受信側である通信装置１００において無駄な処理を低減することができる。
【００５８】
（実施の形態５）
本発明の実施の形態５は、実施の形態４に係る通信システム１０において、一方の通信路Ｃ２に、受信側の通信装置１００と同様の中継用の通信装置を配設した例を説明するものである。
【００５９】
実施の形態５に係る通信システム１０は、図８に示すように、実施の形態１乃至実施の形態３に係る通信装置２００と同様の通信装置２００と、実施の形態１乃至実施の形態３に係る通信装置１００と同様の通信装置１００と、さらに中継用の通信装置１００Ａとを備える。ここで、通信装置２００は例えば基地局装置として使用され、通信装置１００および１００Ａは通信端末装置として使用される。また、この通信端末装置１００、１００Ａのそれぞれは同一構成である。なお、通信装置１００Ａは通信装置２００との間にリンクを確立しているものとする。
【００６０】
送信側の通信装置２００は、受信側の通信装置１００から通信路Ｃ３を通してプリアンブル信号を受け取ると、リンク確立の許否を判定する。そして、通信装置２００は、通信路Ｃ１を通して許否情報を通信装置１００に送出し、リンクが確立されている通信路Ｃ２を通して許否情報を送出する。通信路Ｃ２には中継用の通信装置１００Ａが配設されており、通信路Ｃ２は、通信装置２００から中継用の通信装置１００Ａに至る通信路Ｃ２ａと、通信装置１００Ａから通信装置１００に至る通信路Ｃ２ｂとにより構築されている。
【００６１】
通信装置１００Ａは、通信装置２００から通信路Ｃ２ａを通して受け取る許否情報に復調、変調などの処理を行い、この処理した許否情報を通信路Ｃ２ｂを通して通信装置１００に転送する。
【００６２】
すなわち、通信システム１０においては、送信側の通信装置２００から送出される２つの許否情報の一方が通信路Ｃ１を通して受信側の通信装置１００に直接的に送出され、許否情報の他方が通信路Ｃ２ａ、中継用の通信装置１００Ａおよび通信路Ｃ２ｂを通して通信装置１００に間接的に送出される。
【００６３】
なお、実施の形態５において、通信装置１００、１００Ａを結ぶ通信路Ｃ２ｂは、有線か無線かであることを問わない。
【００６４】
また、実施の形態５に係る通信システム１０において、通信装置２００は、リンクを確立している１つの中継用の通信装置１００Ａに向けて許否情報を送出しているが、本発明は、通信装置２００との間でリンクが確立されている複数のうちの少なくとも１つの通信端末装置に許否情報を送出し、これを受け取った通信端末装置が通信装置１００に向けて許否情報を転送するようにしてもよい。
【００６５】
このように、実施の形態５に係る通信システム１０においては、複数の異なる通信路Ｃ１、Ｃ２のそれぞれを通して送達される複数の許否信号の許否の判定結果に基づきデータの送信処理を行うことができるので、単一の通信経路にて単一の制御信号が送達される場合はもとより単一の通信経路にて２つの制御信号が送達される場合に比べても、許否信号の許否の判定に対する信頼性を向上することができ、受信側の通信装置１００における無駄な処理を低減することができる。
【００６６】
また、２つの異なる通信路Ｃ１、Ｃ２の少なくとも一方の通信路Ｃ２に、リンクがすでに確立されている中継用の通信装置１００Ａを介在させたことにより、この中継用の通信装置１００Ａにおいて許否情報の復元処理を行いこの処理した許否情報を受信側の通信装置１００に転送することができるので、許否情報の信頼性（誤り率）を向上することができる。そして、受信側である通信装置１００においては、この信頼性の高い許否情報の許否の判定結果に基づきデータの送信処理を行うことができるので、許否情報の許否の判定結果に対する信頼性がより一層向上することができ、受信側である通信装置１００において無駄な処理を低減することができる。
【産業上の利用可能性】
【００６７】
本発明に係る通信システムおよび通信装置は、制御信号の認識精度を向上することにより、誤認識に伴うデータの誤送出を低減することができ、無駄な処理を低減することができるという効果を有し、携帯電話機、携帯無線通信機、パーソナルコンピュータ、情報携帯端末（ＰＡＤ）等の通信装置およびこれらにより構築される通信システムに有効である。
【図面の簡単な説明】
【００６８】
【図１】本発明の実施の形態１に係る通信システムの全体構成図
【図２】図１の通信装置の構成を示すブロック図
【図３】図１の他の通信装置の構成を示すブロック図
【図４】本発明の実施の形態２に係る通信装置の構成を示すブロック図
【図５】本発明の実施の形態３に係る通信システムの全体構成図
【図６】図５の通信装置の構成を示すブロック図
【図７】本発明の実施の形態４に係る通信システムの全体構成図
【図８】本発明の実施の形態５に係る通信システムの全体構成図
【符号の説明】
【００６９】
１０  通信システム
１００、２００  通信装置
１０１  プリアンブル送信制御部
１０２  送信部
１０３、２０１  受信部
１０４  判定部
１０５  データ送信制御部
１０６  送信データ生成部
２０２  リンク確立判定部
２０３  信号生成部
２０４  送出部
２０５  データ処理部
２０６  切り換え部
２１０  変換部
３００  中継局
【図１】
2006054551.tif 000003
【図２】
2006054551.tif 000004
【図３】
2006054551.tif 000005
【図４】
2006054551.tif 000006
【図５】
2006054551.tif 000007
【図６】
2006054551.tif 000008
【図７】
2006054551.tif 000009
【図８】
2006054551.tif 000010